(57)【要約】【課題】大掛かりな配線工事をすることなく、ＴＶ信号の入力源を容易に変更できるＴＶ信号切替スイッチ及びそれを用いた情報配線盤並びにＴＶ配線システムを提供することにある。【解決手段】ＴＶ信号切替スイッチ１は、それぞれＴＶ信号入力源（例えばアンテナ及びＴＶ用回線終端装置）からの入力ケーブルが接続される入力端子Ｔ１，Ｔ２と、ＴＶ信号の出力ケーブルが接続される出力端子Ｔ３とを備える。入力端子Ｔ１及び出力端子Ｔ３は器体１０の裏側に設けられ、入力端子Ｔ２は器体１０の前面に設けられている。また器体１０の前面には操作摘み１１が配置され、ユーザによる操作摘み１１の選択操作に応じて、入力端子Ｔ１，Ｔ２の中から選択された入力端子Ｔ１又はＴ２を出力端子Ｔ３に接続する切替スイッチが器体１０の内部に収納されている。【選択図】図１
2012129612.tif 000002
【特許請求の範囲】
【請求項１】
それぞれＴＶ信号入力源からの入力ケーブルが接続される複数の入力端子と、ＴＶ信号の出力ケーブルが接続される出力端子と、前記複数の入力端子の中から、ユーザの選択操作に応じて選択された前記入力端子を前記出力端子に接続する信号切替部とが器体に設けられたことを特徴とするＴＶ信号切替スイッチ。
【請求項２】
前記器体には、造営面に取り付けられる取付枠に対して、前記器体を取り付けるための取付手段が設けられたことを特徴とする請求項１記載のＴＶ信号切替スイッチ。
【請求項３】
前記取付枠は日本工業規格で規格化された大角形連用配線器具の取付枠であり、前記器体は、前記大角形連用配線器具の大きさに準拠した大きさに形成されたことを特徴とする請求項２記載のＴＶ信号切替スイッチ。
【請求項４】
前記器体において前記造営面の表側に露出する部位に、前記複数の入力端子の内の少なくとも１つが配置されたことを特徴とする請求項２又は３の何れか１つに記載のＴＶ信号切替スイッチ。
【請求項５】
前記器体において前記造営面の表側に露出する部位に、前記信号切替部の選択操作手段が配置されたことを特徴とする請求項２又は３の何れか１つに記載のＴＶ信号切替スイッチ。
【請求項６】
請求項１記載のＴＶ信号切替スイッチと、電話通信用の電話用配線装置と、情報通信用の情報用配線装置とが盤本体の内部に収納されたことを特徴とする情報配線盤。
【請求項７】
請求項１乃至６の何れか１つに記載のＴＶ信号切替スイッチと、
前記ＴＶ信号切替スイッチに前記入力ケーブルを介して接続されたＴＶアンテナと、
前記ＴＶ信号切替スイッチに前記出力ケーブルを介して接続され、前記出力ケーブルを介して入力されるＴＶ信号を複数に分配する分配器と、
受信装置からの機器配線が接続され、前記分配器から分配出力されたＴＶ信号を前記受信装置に出力するＴＶコンセントとを備えたことを特徴とするＴＶ配線システム。
【発明の詳細な説明】
【技術分野】
【０００１】
本発明は、ＴＶ信号切替スイッチ及びそれを用いた情報配線盤並びにＴＶ配線システムに関するものである。
【背景技術】
【０００２】
図６（ａ）は、一般的な住宅におけるＴＶ配線システムのシステム構成図を示している。住宅Ａ１の宅外に設置されたアンテナ２から、宅内に引き込まれた同軸ケーブルＣ１は分配器３に接続されている。住宅Ａ１の複数の部屋Ｂ１，Ｂ２，Ｂ３にはそれぞれＴＶコンセント４が設置されており、ＴＶコンセント４には各部屋に設置されたテレビ受信装置（図示せず）からの同軸ケーブルを接続できるようになっている。各部屋のＴＶコンセント４と分配器３との間は同軸ケーブルＣ２を介して接続され、分配器３によって分配されたＴＶ信号が各部屋のＴＶコンセント４に入力されているので、各部屋でテレビの視聴が可能になっている。このような分配器３は、メンテナンスが可能な状態で天井裏に設置されていた。
【０００３】
また従来、屋外のアンテナから屋内に引き込まれたアンテナ線が接続されるアンテナ線引込装置に、アンテナから入力されるＴＶ信号を複数に分配する分配器を内蔵させたものが提案されている（例えば特許文献１参照）。
【先行技術文献】
【特許文献】
【０００４】
【特許文献１】特開平７−５８６５８号公報
【発明の概要】
【発明が解決しようとする課題】
【０００５】
近年、光ファイバー回線を利用した大容量・高速通信サービスが一般家庭にも導入されつつあり、光ファイバー回線を利用してテレビ放送を伝送するサービスも提供されている。図６（ｂ）は、アンテナ２からのＴＶ信号を受信していた住宅Ａ１において、光ファイバー回線を利用してテレビ放送を視聴できるようにしたシステムの構成例である。このシステムでは、住宅Ａ１にＶ−ＯＮＵ（Visual-Optical Network Unit ）と呼ばれるＴＶ用回線終端装置５を設置し、宅内に引き込まれた光ファイバーケーブルＣ３をＴＶ用回線終端装置５に接続する。このＴＶ用回線終端装置５は、光ファイバーケーブルＣ３を介して伝送される光信号からＴＶ信号を分離し、電気信号に変換して同軸ケーブルＣ４に出力している。尚、ＴＶ用回線終端装置５には光ファイバーケーブルＣ５を介してＯＮＵ（Optical Network Unit）と呼ばれる通信用回線終端装置６が接続されており、通信用回線終端装置６によって光信号と電気信号（電話信号と情報信号を含む）との変換が行われる。
【０００６】
ここで、ＴＶ信号の入力元をＴＶ用回線終端装置５に切り換えるためには、先ずアンテナ２からの同軸ケーブルＣ１を分配器３の入力端子３ａから外した後、ＴＶ用回線終端装置５からの同軸ケーブルＣ４を分配器３の入力端子３ａに接続する作業を行う必要がある。
【０００７】
このように、既築の住宅Ａ１において、光ファイバー回線を利用したテレビ視聴に切り換えるためには、天井裏に設置された分配器３からＴＶ用回線終端装置５の設置場所まで同軸ケーブルＣ４を新たに配線する必要があり、大掛かりな工事が必要になっていた。
【０００８】
本発明は上記課題に鑑みて為されたものであり、その目的とするところは、大掛かりな配線工事をすることなく、ＴＶ信号の入力源を容易に変更できるＴＶ信号切替スイッチ及びそれを用いた情報配線盤並びにＴＶ配線システムを提供することにある。
【課題を解決するための手段】
【０００９】
本発明のＴＶ信号切替スイッチは、それぞれＴＶ信号入力源からの入力ケーブルが接続される複数の入力端子と、ＴＶ信号の出力ケーブルが接続される出力端子と、複数の入力端子の中から、ユーザの選択操作に応じて選択された入力端子を出力端子に接続する信号切替部とが器体に設けられたことを特徴とする。
【００１０】
このＴＶ信号切替スイッチにおいて、器体には、造営面に取り付けられる取付枠に対して、器体を取り付けるための取付手段が設けられることも好ましい。
【００１１】
このＴＶ信号切替スイッチにおいて、取付枠は日本工業規格で規格化された大角形連用配線器具の取付枠であり、器体は、大角形連用配線器具の大きさに準拠した大きさに形成されることも好ましい。
【００１２】
このＴＶ信号切替スイッチにおいて、器体において造営面の表側に露出する部位に、複数の入力端子の内の少なくとも１つが配置されることも好ましい。
【００１３】
このＴＶ信号切替スイッチにおいて、器体において造営面の表側に露出する部位に、信号切替部の選択操作手段が配置されたことも好ましい。
【００１４】
本発明の情報配線盤は、上述のＴＶ信号切替スイッチと、通信用の配線装置とが盤本体の内部に収納されたことを特徴とする。
【００１５】
また本発明のＴＶ配線システムは、上述のＴＶ信号切替スイッチと、ＴＶ信号切替スイッチに入力ケーブルを介して接続されたＴＶアンテナと、ＴＶ信号切替スイッチに出力ケーブルを介して接続され、出力ケーブルを介して入力されるＴＶ信号を複数に分配する分配器と、受信装置からの機器配線が接続され、分配器から分配出力されたＴＶ信号を受信装置に出力するＴＶコンセントとを備えることを特徴とする。
【発明の効果】
【００１６】
本発明によれば、大掛かりな配線工事をすることなく、ＴＶ信号の入力源を容易に変更できるＴＶ信号切替スイッチ及びそれを用いた情報配線盤並びにＴＶ配線システムを提供することにある。
【図面の簡単な説明】
【００１７】
【図１】（ａ）は本実施形態のＴＶ信号切替スイッチをプレート装置に取り付けた状態の正面図、（ｂ）はＴＶ信号切替スイッチの裏面図である。
【図２】同上のＴＶ信号切替スイッチを取付枠に取り付けた状態の斜視図である。
【図３】同上のＴＶ信号切替スイッチの内部配線図である。
【図４】（ａ）（ｂ）は本実施形態のＴＶ配線システムのシステム構成図である。
【図５】本実施形態の情報配線盤を示し、（ａ）は正面図、（ｂ）はカバーを外した状態の正面図である。
【図６】（ａ）（ｂ）は従来のＴＶ配線システムのシステム構成図である。
【発明を実施するための形態】
【００１８】
本実施形態のＴＶ信号切替スイッチ及びそれを用いたＴＶ配線システムを図面に基づいて説明する。尚、ＴＶ信号切替スイッチの説明では、図１（ａ）に示す向きにおいて上下左右の方向を規定し、図１（ａ）の紙面に垂直な方向を前後方向として説明を行う。
【００１９】
図３はＴＶ信号切替スイッチ１の内部配線図である。このＴＶ信号切替スイッチ１は、複数（本実施形態では２つ）の入力端子Ｔ１，Ｔ２と、出力端子Ｔ３と、入力端子Ｔ１，Ｔ２の中から、ユーザの選択操作に応じて選択された入力端子Ｔ１又はＴ２を出力端子Ｔ３に接続する切替スイッチ１２（信号切替部）を備えている。尚、本実施形態では出力端子Ｔ３が１つとなっているが、切替スイッチ１２によって選択された入力端子Ｔ１又はＴ２からのＴＶ信号を分岐或いは分配して出力するために、出力端子を複数備えても良い。
【００２０】
ＴＶ信号切替スイッチ１の器体１０は合成樹脂成形品からなり、この器体１０はＪＩＳ規格において大角形連用配線器具として規格化されている１個モジュール寸法に形成されている（図１及び図２参照）。ここで、１個モジュール寸法とは、壁面などの造営面に一部を埋め込んだ状態で取り付けられる埋込用配線器具の一種である大角形連用配線器具の３個用の取付枠２０に、最大３個まで取り付けることができる寸法を意味している。したがって、このＴＶ信号切替スイッチ１は、取付枠に対して他の大角形連用配線器具とともに取り付けることができるようになっている。尚、器体１０の大きさは１個モジュール寸法に限定されるものではなく、取付枠２０に取付可能な大きさであれば、２個或いは３個モジュール寸法に形成されていてもよい。
【００２１】
器体１０は前面が略矩形状の箱型に形成されている。器体１０の前面には、前方から見た形状が矩形状であって、前方に向かって突出するボス部１４が左右方向の中央に設けられ、このボス部１４が取付枠２０から前方に突出する（すなわち造営面の表側に露出する）。
【００２２】
器体１０の後部上面には、それぞれＦ型の同軸コネクタ（レセプタクルタイプ）からなる入力端子Ｔ１及び出力端子Ｔ３が左右方向に並べて配置されている。
【００２３】
器体１０には、ボス部１４の中央やや上寄りに丸穴１５が設けられ、この丸穴１５内にＦ型の同軸コネクタ（レセプタクルタイプ）からなる入力端子Ｔ２が配置されている。また器体１０のボス部１４には、丸穴１５の下側に、上述した切替スイッチ１２の操作摘み１１（選択操作手段）が配置されている。操作摘み１１は、器体１０の前面に設けられた横長の穴１６内に配置され、左右方向においてスライド自在となっている。
【００２４】
ここで、ユーザが操作摘み１１を左右方向の一端側（例えば左側）に移動させると、切替スイッチ１２が入力端子Ｔ１側に切り換えられ、操作摘み１１を反対側に移動させると、切替スイッチ１２が入力端子Ｔ２側に切り替えられるようになっている。
【００２５】
また器体１０の左右の側面には、取付枠２０に取り付けるための係止爪１３（取付手段）が２個ずつ設けられている。
【００２６】
このＴＶ信号切替スイッチ１は、図２に示すような合成樹脂製の取付枠２０を用いて造営面に固定される。この取付枠２０は、左右の側枠２１，２２の上端間を上枠２３で、側枠２１，２２の下端間を下枠２４で連結した矩形枠状であり、側枠２１，２２と上枠２３と下枠２４とで囲まれた開口部に、ＴＶ信号切替スイッチ１の前面のボス部１４が挿入される。
【００２７】
一方の側枠２１からは後方に向かって可撓片２５が延設され、可撓片２５に設けた操作片２５ａと側枠２１の間には、器体１０に設けられた係止爪１３が挿入される保持孔２６ａが形成されている。また他方の側枠２２にも、係止爪１３が挿入される保持孔２６ｂが形成されている。したがって、施工者がＴＶ信号切替スイッチ１を取付枠２０に取り付ける際には、施工者が器体１０を持って片側の係止爪１３を保持孔２６ｂに挿入した後、側枠２１と可撓片２５との間の保持孔２６ａに反対側の係止爪１３を挿入させれば、器体１０が取付枠２０に取り付けられるのである。逆に、施工者が取付枠２０から器体１０を取り外す場合、施工者がマイナスドライバのような工具を用いて操作片２５ａを器体１０から離れる向きに撓ませれば、保持孔２６ａから係止爪１３が外れるので、器体１０を容易に取り外すことができる。
【００２８】
尚、上枠２３および下枠２４にはそれぞれ横長のボックス孔２７が設けられ、壁面などの造営面に埋め込まれた埋込ボックス（図示せず）に取付枠２０を取り付ける際は、ボックス孔２７に通したボックスねじ（図示せず）を埋込ボックスに螺合させればよい。また、ボックス孔２７の左右両側には引掛孔２８が形成される。引掛孔２８は壁パネルのようなパネル材に取付枠２０を取り付ける際、引掛金具（図示せず）の一端部を引掛孔２８に挿入し、引掛金具を取付枠２０に対して回転可能な状態で支持するために用いられる。ここで、引掛金具の一端部を引掛孔２８に挿入した状態で、ボックス孔２７を通して引掛金具に螺合する引締ねじ（図示せず）を締め付けると、引掛金具が一端部を中心として回転し、引掛金具の他端部が取付枠２０に近付くことになる。而して、パネル材に開口を形成しておき、取付枠２０と引掛金具との間で開口の周部を挟持すれば、取付枠２０をパネル材に固定することができる。またボックス孔２７の近傍にはねじ孔２９が形成されており、合成樹脂により枠状に形成されたプレート枠（図示せず）に取付ねじを通して、この取付ねじをねじ孔２９に螺合することで、プレート枠が取付枠２０に固定され、プレート枠によって取付枠２０の前面側が覆われる。尚、プレート枠の前面側には、図１（ａ）に示すように化粧プレート３０が、化粧プレート３０の裏面に設けた係止爪（図示せず）をプレート枠の孔に引っ掛けることによって取り付けられ、螺子の頭を見えないようにしてある。ここで、ＴＶ信号切替スイッチ１のボス部１４は、化粧プレート３０に設けた窓孔３１を通して前面に露出するようになっている。
【００２９】
尚、図２にはＴＶ用回線終端装置５からの同軸ケーブルＣ４も図示されている。この同軸ケーブルＣ４にはＦ型の同軸コネクタ（プラグタイプ）からなるＦ型接栓５１が取り付けられている。而して、入力端子Ｔ２を構成する同軸コネクタのねじ部に、Ｆ型接栓５１に設けられたスリーブ５２を螺合させることで、入力端子Ｔ２にＦ型接栓５１を接続することができる。
【００３０】
図４（ａ）は上述のＴＶ信号切替スイッチを用いたＴＶ配線システムのシステム構成図である。図４（ａ）の構成例ではアンテナ２で受信されたＴＶ信号が各部屋のＴＶコンセント４に分配されるようになっている。
【００３１】
このＴＶ配線システムでは、住宅Ａ１内の適所（例えば後述するＴＶ用回線終端装置５や通信用回線終端装置６の設置スペース）にＴＶ信号切替スイッチ１が設置されている。そして、住宅Ａ１の宅外に設置されたアンテナ２から、宅内に引き込まれた同軸ケーブルＣ１が、宅内の壁面に設置されたＴＶ信号切替スイッチ１の入力端子Ｔ１に接続されている。ＴＶ信号切替スイッチ１の出力端子Ｔ３には同軸ケーブルＣ６の一端が接続され、同軸ケーブルＣ６の他端は例えば天井裏に設置された分配器３の入力端子３ａに接続されている。分配器３は複数の出力端子３ｂを備えており、宅内の複数の部屋Ｂ１，Ｂ２，Ｂ３にそれぞれ設置されたＴＶコンセント４は、それぞれ同軸ケーブルＣ２を介して分配器３の出力端子３ｂに接続されている。ＴＶコンセント４は造営面に設置され、造営面の表側に露出する部位にＦ型の同軸コネクタ４ａが配置されており、テレビなどの受信装置６０からの機器配線Ｃ７（同軸ケーブルからなる）が同軸コネクタ４ａに接続される。而して、受信装置６０はＴＶコンセント４を介して分配器３に接続され、分配器３によって分配されたＴＶ信号を受信することができる。
【００３２】
図４（ａ）のシステム構成では、ユーザは操作摘み１１を操作して切替スイッチ１２を入力端子Ｔ１側（アンテナ２からの入力側）に切り換えており、アンテナ２で受信されたＴＶ信号が、ＴＶ信号切替スイッチ１を介して分配器３に出力される。この時、分配器３は、アンテナ２で受信されたＴＶ信号を複数に分配しており、その分配出力が各部屋Ｂ１，Ｂ２，Ｂ３のＴＶコンセント４に供給されることになり、アンテナ２で受信したＴＶ信号を各部屋に設置された受信装置６０に供給することができる。
【００３３】
このような既設の住宅Ａ１に、光ファイバー回線を介してＴＶ信号を受信するサービスを導入する場合のシステム構成図を図４（ｂ）に示す。宅外から住宅内に導入された光ファイバーケーブルＣ３は、宅内に設置されたＴＶ用回線終端装置（Ｖ−ＯＮＵ）５に接続され、このＴＶ用回線終端装置５によって、光ファイバーケーブルＣ３を介して伝送される光信号からＴＶ信号が分離され、電気信号に変換される。ＴＶ用回線終端装置５のＴＶ信号出力端子には同軸ケーブルＣ４の一端が接続され、同軸ケーブルＣ４の他端はＴＶ信号切替スイッチ１の入力端子Ｔ２に接続される。ここで、入力端子Ｔ２は、ＴＶ信号切替スイッチ１の器体１０において、造営面の表側に露出する部位（ボス部１４の前面）に設けられているので、室内側から同軸ケーブルＣ４を差し込むだけで施工が行え、大掛かりな配線工事を行わなくてもよい。
【００３４】
そして、ユーザが操作摘み１１を操作して切替スイッチ１２を入力端子Ｔ１側から入力端子Ｔ２側（ＴＶ用回線終端装置５側）に切り換えると、アンテナ２からのＴＶ信号に代えて、ＴＶ用回線終端装置５からのＴＶ信号が、ＴＶ信号切替スイッチ１を介して分配器３に出力される。この時、分配器３は、ＴＶ用回線終端装置５で受信されたＴＶ信号を複数に分配しており、その分配出力が各部屋Ｂ１，Ｂ２，Ｂ３のＴＶコンセント４に供給される。したがって、各部屋のＴＶコンセント４に接続された受信装置６０に、光ファイバーケーブルＣ３を介して伝送されたＴＶ信号を供給することができ、光ファイバーケーブルＣ３を利用したテレビ放送サービスを利用できる。
【００３５】
以上説明したように、本実施形態のＴＶ信号切替スイッチ１では、複数（本実施形態では例えば２個）の入力端子Ｔ１，Ｔ２と、出力端子Ｔ３と、信号切替部としての切替スイッチ１２とが器体１０に設けられている。複数の入力端子Ｔ１，Ｔ２には、それぞれＴＶ信号入力源からの入力ケーブルが接続されており、例えば入力端子Ｔ１にはアンテナ２からの同軸ケーブルＣ１が、入力端子Ｔ２にはＴＶ用回線終端装置５からの同軸ケーブルＣ４が接続されている。出力端子Ｔ３には、ＴＶ信号の出力ケーブル（分配器３への同軸ケーブルＣ６）が接続されている。切替スイッチ１２は、ユーザの選択操作に応じて選択された入力端子Ｔ１又はＴ２を出力端子Ｔ３に接続する。
【００３６】
これにより、出力端子Ｔ３に出力するＴＶ信号の入力元を、複数の入力端子の何れかに切り換える場合でも、出力先の機器（例えば分配器３）と出力端子Ｔ３との間を接続する出力ケーブルを配線し直す必要がない。したがって、大掛かりな配線工事をすることなく、ＴＶ信号の入力元を容易に変更することができる。
【００３７】
また、ＴＶ信号切替スイッチ１の器体１０には、造営面に取り付けられる取付枠２０に対して、器体１０を取り付けるための係止爪１３（取付手段）が設けられている。
【００３８】
これにより、取付枠２０を用いて、ＴＶ信号切替スイッチ１の器体１０を壁面などの造営面に容易に取り付けることができる。
【００３９】
また、取付枠２０は日本工業規格（ＪＩＳ）で規格化された大角形連用配線器具の取付枠であり、ＴＶ信号切替スイッチ１の器体１０は、大角形連用配線器具の大きさに準拠した大きさ（例えば１個モジュール寸法）に形成されている。
【００４０】
これにより、ユーザは、ＴＶ信号切替スイッチ１を、ＪＩＳで規格化された取付枠２０を用いて造営面に施工でき、また他の大角形連用配線器具と共に取付枠２０に取り付けて使用することができる。
【００４１】
尚、本実施形態では取付枠２０としてＪＩＳ規格で規格化されたものを使用しているが、取付枠２０はＪＩＳ規格以外の規格（ＪＩＳ規格以外の規格や日本国以外の国や組織による規格）で規格化されたものや、規格にはなっていないが、メーカ内などで標準化されたものでもよい。
【００４２】
また、信号切替スイッチ１の器体１０において、造営面の表側に露出する部位（ボス部１４）に、複数の入力端子Ｔ１，Ｔ２の内の少なくとも１つ（本実施形態では一方の入力端子Ｔ２）が配置されている。
【００４３】
これにより、信号切替スイッチ１を造営面から取り外すことなく、造営面の表側から入力端子Ｔ２に入力ケーブルを接続する作業が行える。したがって、既設の住宅において、新たなＴＶ信号入力源を導入する場合にも、新たなＴＶ信号入力源からの入力ケーブル（例えばＴＶ用回線終端装置５からの同軸ケーブルＣ４）を、信号切替スイッチ１の入力端子Ｔ２に容易に接続することができる。
【００４４】
また、信号切替スイッチ１の器体１０において、造営面の表側に露出する部位（ボス部１４）に、切替スイッチ１２の操作摘み１１が配置されている。
【００４５】
これにより、信号切替スイッチ１を造営面から取り外すことなく、造営面の表側から操作摘み１１の操作を行って、ＴＶ信号の入力元を切り換えることができる。
【００４６】
また本実施形態のＴＶ配線システムは、上述したＴＶ信号切替スイッチ１と、アンテナ２（ＴＶアンテナ）と、分配器３と、ＴＶコンセント４を備える。アンテナ２は、ＴＶ信号切替スイッチ１に入力ケーブル（同軸ケーブルＣ１）を介して接続されている。分配器３は、ＴＶ信号切替スイッチ１に出力ケーブル（同軸ケーブルＣ６）を介して接続されており、出力ケーブルを介して入力されるＴＶ信号を複数に分配する。ＴＶコンセント４は、受信装置６０からの機器配線Ｃ７が接続され、分配器３から分配出力されたＴＶ信号を受信装置６０に出力する。
【００４７】
これにより、ＴＶ信号切替スイッチ１では、操作摘み１１の切替操作に応じて、アンテナ２から入力されるＴＶ信号、或いは、他の入力端子から入力されたＴＶ信号の何れかを分配器３に出力できる。そして、分配器３によって複数に分配されたＴＶ信号がＴＶコンセントに出力される。したがって、分配器３に出力するＴＶ信号を、アンテナ２からのＴＶ信号か、或いは、他の入力端子に入力されたＴＶ信号の何れかに切り換える場合でも、分配器３とＴＶ信号切替スイッチ１の間を接続する出力ケーブルを配線し直す必要がない。よって、大掛かりな配線工事をすることなく、ＴＶ信号の入力元を容易に変更することができる。
【００４８】
ところで、上述の実施形態ではＴＶ信号切替スイッチ１が取付枠２０を用いて造営面に取り付けられているが、図５（ａ）（ｂ）に示すような情報配線盤４０にＴＶ信号切替スイッチ１が収納されていてもよい。
【００４９】
情報配線盤４０の盤本体は、それぞれ合成樹脂成形品からなるボディ４１とカバー４２を結合して構成される。
【００５０】
ボディ４１は前面が開口した略箱状であって、後面を造営面（例えば壁面など）に向けた状態で、造営面に固定される。
【００５１】
カバー４２は、後面の略全体が開口するとともに、前面の一部に矩形の開口４２ａが設けられた略箱状であって、ボディ４１の前側に着脱自在に取り付けられている。
【００５２】
ボディ４１の背面には通線穴（図示せず）が開口しており、この通線穴から盤本体の内部に導入される光ファイバーケーブルＣ３ａは、ボディ４１に保持された光コネクタ４４に接続されている。光コネクタ４４は、光ファイバーケーブル同士を光学的に結合させた状態で接続するものであり、ボディ４１の下面から外部に露出している。而して、この光コネクタ４４に、一端側がＴＶ用回線終端装置５に接続された光ファイバーケーブルＣ３ｂの他端を接続すると、宅外からの光ファイバー回線がＴＶ用回線終端装置５に接続されることになる。
【００５３】
またボディ４１には、上述したＴＶ信号切替スイッチ１と電源コンセント４５が上下に並べて配置されるとともに、その右側に後述する接続ユニット４３が配置されている。これらＴＶ信号切替スイッチ１と電源コンセント４５と接続ユニット４３とは、カバー４２に設けた開口４２ａから外部に露出している。
【００５４】
尚、接続ユニット４３の前面左側部には、それぞれ電話用の６極２芯のモジュラプラグ（図示せず）が挿入される２個の電話プラグ挿入穴４６ａ，４６ｂが設けられている。各電話プラグ挿入穴４６ａ，４６ｂの内側にはそれぞれ電話用モジュラジャック（図示せず）が保持されており、いずれかの電話プラグ挿入穴４６ａ，４６ｂに挿入されたモジュラプラグは該電話プラグ挿入穴４６ａ，４６ｂ内の電話用モジュラジャックに挿入接続される。また接続ユニット４３の下側には複数組（例えば６組）の電話線接続端子４８が配置されている。
【００５５】
電話線接続端子４８のうちの１組は、一端が保安器に接続された電話線（加入者線）の他端が挿入される加入者線接続端子となっている。また電話線接続端子４８のうち他の１組はＬＩＮＥ接続端子であって、上側の電話プラグ挿入穴４６ａ内の電話用モジュラジャック（以下、ＬＩＮＥモジュラジャックと言う。）に電気的に接続されて、ＬＩＮＥ系統を構成している。また、電話線接続端子４８のうち残りの組は、それぞれ、各部屋の電話用コンセント９に宅内配線を介して接続されている。これらの電話接続端子と下側の電話プラグ挿入穴４６ｂ内の電話用モジュラジャック（以下、ＴＥＬモジュラジャックと言う。）とは電気的に接続されて、ＴＥＬ系統を構成している。
【００５６】
接続ユニット４３の前面には切替スイッチ４９が配置されており、切替スイッチ４９の切替操作に応じて、加入者線接続端子がＬＩＮＥ系統又はＴＥＬ系統の何れかに接続される。
【００５７】
ここで、ＡＤＳＬ等のサービスを利用しない場合には、切替スイッチ４９を用いて加入者線接続端子をＴＥＬ系統に切替接続してあり、各部屋の電話用コンセント９を加入者線に接続している。この場合、加入者線接続端子から切り離されたＬＩＮＥ系統は、ＬＩＮＥ接続端子に接続された機器とＬＩＮＥモジュラジャックに接続された機器とを互いに接続するというような別途の接続に用いることができる。
【００５８】
また、ＡＤＳＬ等のサービスを利用する場合には、切替スイッチ４９を用いて加入者線接続端子をＬＩＮＥ系統に切替接続する。そして、例えばＬＩＮＥモジュラジャックに、スプリッタの入力端子を接続するとともに、スプリッタのＡＤＳＬ出力端子をモデムに接続する一方で、スプリッタのＴＥＬ出力端子をＴＥＬモジュラジャックに接続する。
【００５９】
また、ＩＰ電話を使用する場合にも、切替スイッチ４９を用いて加入者線接続端子をＬＩＮＥ系統に切り換えて、ＴＥＬ系統を加入者線接続端子から切り離す。そして、ＴＥＬ系統の例えばＴＥＬモジュラジャックにＩＰ電話アダプタ（図示せず）を接続すれば、ＴＥＬ系統に接続された各部屋の電話用コンセント９をそれぞれＩＰ電話アダプタに接続することができる。
【００６０】
また、接続ユニット４３の前面右側にはＬＡＮプラグ挿入穴４７が設けられ、ＬＡＮプラグ挿入穴４７内にはＬＡＮ用のモジュラジャック（図示せず）が配置されている。また接続ユニット４３の下面にはＬＡＮ用のモジュラジャックが複数配置されており、これら複数のＬＡＮ用モジュラジャックは各部屋のＬＡＮコンセント８に宅内のＬＡＮ配線を介して接続されている。そして、接続ユニット４３の内部にはスイッチングハブ回路が収納されており、ＬＡＮプラグ挿入穴４７内のモジュラジャックと、下面のＬＡＮ用モジュラジャックに接続された各部屋のＬＡＮコンセント８との間で信号の中継を行っている。而して、上述したＴＶ用回線終端装置５に接続された通信用回線終端装置６を、ＬＡＮプラグ挿入穴４７内に配置されたモジュラジャックに接続すると、各部屋のＬＡＮコンセント８に接続された通信機器をスイッチングハブ回路を介して通信用回線終端装置６に接続することができる。
【００６１】
以上のように本実施形態の情報配線盤４０は、上述したＴＶ信号切替スイッチ１と、電話通信用の電話用配線装置（接続ユニット４３及び電話線接続端子４８からなる）と、情報通信用の情報用配線装置（接続ユニット４３からなる）とを、盤本体（ボディ４１及びカバー４２からなる）の内部に収納している。
【００６２】
これにより、ＴＶ信号切替スイッチ１では、操作摘み１１の切替操作に応じて、アンテナ２から入力されるＴＶ信号、或いは、他のＴＶ信号入力源（例えばＴＶ用回線終端装置５）から入力されたＴＶ信号の何れかを分配器３に出力できる。そして、分配器３によって複数に分配されたＴＶ信号がＴＶコンセントに出力される。したがって、分配器３に出力するＴＶ信号を、アンテナ２からのＴＶ信号か、或いは、他の入力端子に入力されたＴＶ信号の何れかに切り換える場合でも、分配器３とＴＶ信号切替スイッチ１の間を接続する出力ケーブルを配線し直す必要がない。よって、大掛かりな配線工事をすることなく、ＴＶ信号の入力源を容易に変更することができる。
【符号の説明】
【００６３】
１  ＴＶ信号切替スイッチ
２  アンテナ（ＴＶアンテナ）
３  分配器
４  ＴＶコンセント
５  ＴＶ用回線終端装置
１０  器体
１１  操作摘み（選択操作手段）
１２  切替スイッチ（信号切替部）
１３  係止爪（取付手段）
１４  ボス部
Ｃ１，Ｃ４  同軸ケーブル（入力ケーブル）
Ｃ５  同軸ケーブル（出力ケーブル）
Ｔ１，Ｔ２  入力端子
Ｔ３  出力端子
【図１】
2012129612.tif 000003
【図２】
2012129612.tif 000004
【図３】
2012129612.tif 000005
【図４】
2012129612.tif 000006
【図５】
2012129612.tif 000007
【図６】
2012129612.tif 000008